【手続補正書】
【提出日】平成25年1月25日(2013.1.25)
【手続補正１】
【補正対象書類名】明細書
【補正対象項目名】００１０
【補正方法】変更
【補正の内容】
【００１０】
本発明の他の実施形態は、直角位相狭帯域ＲＦ振幅サンプラを備え、直角位相狭帯域ＲＦ振幅サンプラは、第１の導通要素を提供する第１のダイオードと、第２の導通要素を提供する第２のダイオードと、伝送ラインと第１のダイオードとに結合され、狭帯域ＲＦ信号を第１のダイオードに結合する第１のＲＦポートと、伝送ラインと第２のダイオードとに結合され、ＲＦ信号を第２のダイオードに結合する第２のＲＦポートであって、伝送ラインに沿った波長の分数だけ第１のポートから物理的に離れた第２のＲＦポートと、第１および第２のダイオードに結合され、単極ゲートパルスをダイオードに結合するゲートポートであって、該単極ゲートパルスは、ゲートパルス持続時間、および、少なくとも２つのＲＦ信号サイクルの一部において、ダイオードを導通状態にすることによって、第１および第２のダイオードにおける導通パルスを生成するゲートポートと、第１のダイオードに結合されて、少なくとも２つの導通パルスを積分し、同相のサンプルを生成する第１の積分コンデンサと、第２のダイオードに結合されて、少なくとも２つの導通パルスを積分し、直角位相のサンプルを生成する第２の積分コンデンサと、を含む。本発明のレーダは、ΔＴのスタガタイミングオフセットにより中間周波数が変調される、ずらされたＰＲＩ変調を含む。
本発明の他の実施形態は、直角位相狭帯域ＲＦ振幅サンプラを備え、直角位相狭帯域ＲＦ振幅サンプラは、第１の導通要素を提供する第１のダイオードと、第２の導通要素を提供する第２のダイオードと、伝送ラインと第１のダイオードとに結合され、狭帯域ＲＦ信号を第１のダイオードに結合する第１のＲＦポートと、伝送ラインと第２のダイオードとに結合され、ＲＦ信号を第２のダイオードに結合する第２のＲＦポートであって、伝送ラインに沿った波長の分数だけ第１のポートから物理的に離れた第２のＲＦポートと、第１および第２のダイオードに結合され、単極ゲートパルスをダイオードに結合するゲートポートであって、該単極ゲートパルスは、ゲートパルス持続時間、および、少なくとも２つのＲＦ信号サイクルの一部において、ダイオードを導通状態にすることによって、第１および第２のダイオードにおける導通パルスを生成するゲートポートと、第１のダイオードに結合されて、少なくとも２つの導通パルスを積分し、同相のサンプルを生成する第１の積分コンデンサと、第２のダイオードに結合されて、少なくとも２つの導通パルスを積分し、直角位相のサンプルを生成する第２の積分コンデンサと、を含む。本発明のレーダは、スタガ変調ＰＲＩが、中間周波数で変調される、ずらされたＰＲＩ変調を含む。
【手続補正２】
【補正対象書類名】明細書
【補正対象項目名】００１１
【補正方法】変更
【補正の内容】
【００１１】
本発明の距離ゲートを用いたホログラフィックレーダセンサは、ＲＦバーストを提供するパルスＲＦ発振器であって、ΔＴずらされたＰＲＩ変調によって各ＲＦバーストが発生し、前記各ＲＦバーストは、予想されるエコー遅延より長いバースト持続時間を有するパルスＲＦ発振器と、ＲＦバーストを伝送し、前記ＲＦバーストのエコーを受信するアンテナと、前記ＲＦバーストと前記ΔＴによる変調によって生成されたエコーとの合計に応じて距離ゲート干渉出力サンプルを生成する時間ゲートＲＦサンプラとを含む。
本発明の距離ゲートを用いたホログラフィックレーダセンサは、ＲＦバーストを提供するパルスＲＦ発振器であって、スタガ変調ＰＲＩによって各ＲＦバーストが発生し、前記各ＲＦバーストは、所望のターゲットからのパルスエコー時間間隔より長いバースト持続時間を有するパルスＲＦ発振器と、ＲＦバーストを伝送し、前記ＲＦバーストのエコーを受信するアンテナと、前記ＲＦバーストとスタガ変調エコーとの合計に応じて距離ゲート干渉出力サンプルを生成する時間ゲートＲＦサンプラとを含む。
【手続補正３】
【補正対象書類名】明細書
【補正対象項目名】００１２
【補正方法】変更
【補正の内容】
【００１２】
本発明の干渉レーダの検出方法は、持続時間の十分なＲＦバーストを生成することにより前記ＲＦバーストからの所望のエコーを含めるステップと、前記ＲＦバーストをアンテナからターゲットへと放射するステップと、前記ＲＦバーストの前記ターゲットからのエコーをアンテナで受信するステップと、前記ＲＦバーストと前記エコーとを合計して干渉信号を生成するステップと、前記干渉信号の振幅を制御されたタイミングでサンプリングすることにより、前記エコーの距離ゲート干渉サンプルを生成するステップと、を含む。本発明の干渉レーダの検出方法は、前記干渉信号の前記振幅を伝送ライン上の２か所において制御されたタイミングでサンプリングすることにより、距離ゲート直角位相干渉サンプルを生成するステップをさらに含む。本発明の干渉レーダの検出方法は、ＲＰＩをずらしたＲＦバーストを生成するステップをさらに含む。本発明の干渉レーダの検出方法は、中間周波数でΔＴスタガに応答する振幅サンプリングを実行するステップをさらに含む。
本発明の干渉レーダの検出方法は、所望のターゲットからのパルスエコー時間間隔より長いバースト持続時間を有するＲＦバーストを生成するステップと、前記ＲＦバーストをアンテナからターゲットへと放射するステップと、前記ＲＦバーストの前記ターゲットからのエコーをアンテナで受信するステップと、前記ＲＦバーストと前記エコーとを合計して干渉信号を生成するステップと、前記干渉信号の振幅を制御されたタイミングでサンプリングすることにより、前記エコーの距離ゲート干渉サンプルを生成するステップと、を含む。本発明の干渉レーダの検出方法は、前記干渉信号の前記振幅を伝送ライン上の２か所において制御されたタイミングでサンプリングすることにより、距離ゲート直角位相干渉サンプルを生成するステップをさらに含む。本発明の干渉レーダの検出方法は、ＲＰＩをずらしたＲＦバーストを生成するステップをさらに含む。本発明の干渉レーダの検出方法は、スタガＰＲＩ応答する振幅サンプリングを実行するステップをさらに含む。
【手続補正４】
【補正対象書類名】明細書
【補正対象項目名】００１３
【補正方法】変更
【補正の内容】
【００１３】
本発明の干渉レーダの動き検出方法は、十分な持続時間のＲＦバーストを生成することによって前記ＲＦバーストからの所望のエコーを含めるステップと、前記ＲＦバーストをアンテナからターゲットへと放射するステップと、前記ＲＦバーストの前記ターゲットからのエコーをアンテナで受信するステップと、前記ＲＦバーストと前記エコーとを合計することによって干渉信号を生成するステップと、前記干渉信号の振幅を、伝送バーストに関連する一定のタイミングでサンプリングすることによって、一定の距離における前記ターゲットからのエコーのサンプル信号を生成するステップと、前記サンプル信号の変化を検出して動き信号を生成するステップと、を含む。本発明の干渉レーダの動き検出方法は、前記干渉信号の前記振幅を伝送ライン上の２か所において制御されたタイミングでサンプリングすることにより、距離ゲート直角位相干渉信号を生成するステップをさらに含む。
本発明の干渉レーダの動き検出方法は、所望のターゲットからのパルスエコー時間間隔より長いバースト持続時間を有するＲＦバーストを生成するステップと、前記ＲＦバーストをアンテナからターゲットへと放射するステップと、前記ＲＦバーストの前記ターゲットからのエコーをアンテナで受信するステップと、前記ＲＦバーストと前記エコーとを合計することによって干渉信号を生成するステップと、前記干渉信号の振幅を、ＲＦバーストに関連する一定のタイミングでサンプリングすることによって、前記ターゲットからのエコーのサンプル信号を生成するステップと、前記サンプル信号の変化を検出して動き信号を生成するステップと、を含む。本発明の干渉レーダの動き検出方法は、前記干渉信号の前記振幅を伝送ライン上の２か所において制御されたタイミングでサンプリングすることにより、距離ゲート直角位相干渉信号を生成するステップをさらに含む。